(57)【特許請求の範囲】
【請求項１】
ロータリ作業機（１）の後部に設けられ、整地板（９）を加圧調整するためのコンプレッションロッド（１０）、加圧バネ（１１）及びバネストッパー（１２）を有するコンプレッションロッド用加圧調整装置（１３）において、
前記バネストッパー（１２）は、コンプレッションロッド（１０）の周方向に２分割されたリング状の係合部材（１７，１７）の端部間を、バネ線材からなるバネ部材（１８）により他端側が周方向に弾性移動可能に弾持し、コンプレッションロッド（１０）の長さ方向側面に、前記係合部材（１７，１７）と嵌合する嵌合凹部（１６）を長さ方向に間隔をおいて多数形成したことを特徴とするコンプレッションロッド用加圧調整装置。
【請求項２】
前記バネストッパー（１２）は、コンプレッションロッド（１０）に嵌挿して係合部材（１７，１７）を嵌合凹部（１６）に嵌合させた状態では加圧バネ（１１）を位置決めし、係合部材（１７，１７）をバネ部材（１８）の弾発力に抗して周方向に回動して係合部材（１７，１７）の嵌合凹部（１６）への嵌合を解除すると、コンプレッションロッド（１０）の長さ方向に沿って摺動自在となることを特徴とする請求項１記載のコンプレッションロッド用加圧調整装置。
【請求項３】
前記コンプレッションロッド（１０）とバネストッパー（１２）は、同一軸線上に配設されていることを特徴とする請求項１又は２記載のコンプレッションロッド用加圧調整装置。
【請求項４】
前記バネストッパー（１２）は、２分割された係合部材（１７，１７）の端部間をバネ線材（１８）により弾持し、係合部材（１７，１７）にバネ線材（１８）の先端部を嵌挿して係止する固定溝（１９）を設けたことを特徴とする請求項１、２又は３記載のコンプレッションロッド用加圧調整装置。
【請求項５】
前記バネストッパー（１２）の係合部材（１７，１７）に、コンプレッションロッド（１０）の長さ方向に沿って移動する前後両端部に位置してガイド鍔（２０）を設けたことを特徴とする請求項１、２，３又は４記載のコンプレッションロッド用加圧調整装置。
【発明の詳細な説明】
【０００１】
【発明の属する技術分野】
本発明は、ロータリ作業機の後部に設けられた整地板を加圧調整するためのコンプレッションロッド、加圧バネ及びバネストッパーを有するコンプレッションロッド用加圧調整装置に関し、特にバネストッパーの改良に関する。
【０００２】
【従来の技術】
従来、ロータリ作業機の後部に設けられ、整地板を加圧調整するためのコンプレッションロッド、加圧バネ及びバネストッパーを有するコンプレッションロッド用加圧調整装置が周知である。例えば、「加圧調整装置が、断面が長楕円形をした棒と、この棒に所定間隔をあけて設けられた複数個の係止溝と、棒に巻回された一連のスプリングとからなり、スプリングの係止部が複数の係止溝のいずれか１つに係合することによりスプリングの加圧力が調整され、スプリングの巻回し終端部より離れた中間部位に係止溝に係止し得る係止部を形成した」構成が、実開昭６４−５２４０３号公報に開示されている。
【０００３】
また、「コンプレッションロッドの軸方向に位置をずらせて設けられた複数のピン孔に選択的に合致するピン挿通孔を有し、コンプレッションロッドにスライド自在に嵌合してコンプレッションロッドに外装されたコイルバネの端部を支持するバネ受けと、Ｕ字状に屈曲してその一端部がバネ受けのピン挿通孔及びコンプレッションロッドのピン孔に進退自在に挿入され、他端部がバネ受けに設けたガイド孔にスライド自在に嵌合する係止ピンと、該係止ピンの他端部に外装されて係止ピンの一端部をピン挿通孔及びピン孔に対し挿入方向に付勢する圧縮コイルバネとを備えてなる」構成が、実用新案登録第２５０８３７０号公報に開示されている。
【０００４】
【発明が解決しようとする課題】
上記先行技術のうち前者のものは、操作性はほぼ良好であるが、スプリングからなる係止部の外部への張り出し量が大きいため、この張り出し部に多のものが接して外力が掛かりやすく、係止部が回動しやすくなって、棒に巻回されたスプリングの係止が不確実になる、という問題点があった。また、上記先行技術の後者のものは、操作の確実性は十分であるが、係止ピンの取付けスペースが大きくなり、構造が複雑でコスト高になる、という問題点があった。さらに、従来、一般的に行われている，コンプレッションロッドに巻回されたスプリングの係止をピンの抜き差しにより行ってバネ圧を調節するものでは、ピンの抜き差しが面倒なうえ、ピンを紛失しやすい、という問題点があった。
【０００５】
本発明は、上記の問題点を解決するためになされたもので、バネストッパーの取付けスペースが小さく、また、コンプレッションロッドから外側への張り出し量が小さく、操作が簡単で、かつバネ圧調整が確実に行え、しかも、構造が比較的簡単でコスト高になることがなく、ピンの紛失の恐れもないバネストッパーを提供することを目的とする。
【０００６】
【課題を解決するための手段】
上記の目的を達成するために本発明は、
Ａ．ロータリ作業機１の後部に設けられ、整地板９を加圧調整するためのコンプレッションロッド１０、加圧バネ１１及びバネストッパー１２を有するコンプレッションロッド用加圧調整装置１３において、
前記バネストッパー１２は、コンプレッションロッド１０の周方向に２分割されたリング状の係合部材１７，１７の端部間を、バネ線材からなるバネ部材１８により他端側が周方向に弾性移動可能に弾持し、コンプレッションロッド１０の長さ方向側面に、前記係合部材１７，１７と嵌合する嵌合凹部１６を長さ方向に間隔をおいて多数形成したことを特徴としている。
【０００７】
Ｂ．前記バネストッパー１２は、コンプレッションロッド１０に嵌挿して係合部材１７，１７を嵌合凹部１６に嵌合させた状態では加圧バネ１１を位置決めし、係合部材１７，１７をバネ部材１８の弾発力に抗して周方向に回動して係合部材１７，１７の嵌合凹部１６への嵌合を解除すると、コンプレッションロッド１０の長さ方向に沿って摺動自在となることを特徴としている。
Ｃ．前記コンプレッションロッド１０とバネストッパー１２は、同一軸線上に配設されていることを特徴としている。
【０００８】
Ｄ．前記バネストッパー１２は、２分割された係合部材１７，１７の端部間をバネ線材１８により弾持し、係合部材１７，１７にバネ線材１８の先端部を嵌挿して係止する固定溝１９を設けたことを特徴としている。
Ｅ．前記バネストッパー１２の係合部材１７，１７に、コンプレッションロッド１０の長さ方向に沿って移動する前後両端部に位置してガイド鍔２０を設けたことを特徴としている。
【０００９】
【作用】
上記の構成により本発明のコンプレッションロッド用加圧調整装置は、以下の作用を行う。
ａ．上記Ａ．及びＢ．の構成により、バネストッパーの係合部材をコンプレッションロッドの嵌合凹部に嵌合させると、バネストッパーは確実に位置決めされて加圧バネを所定位置に支持する。また、バネストッパーを周方向に回動して係合部材の嵌合凹部への嵌合を解除すると、バネストッパーはコンプレッションロッドの長さ方向に摺動自在となり、所望位置まで移動させて周方向内側に移動させて係合部材を嵌合凹部に嵌合させ、加圧バネのバネ圧を所望圧に調整する。
【００１０】
ｂ．上記Ｃ．ないしＥ．の構成により、バネストッパーのコンプレッションロッドの長さ方向に沿った摺動がスムーズに行われる。また、係合部材のバネ線材による弾持が容易に行われる。
【００１１】
【発明の実施の形態】
以下、本発明の実施の形態を添付の図面を参照して具体的に説明する。
図２において、符号１は従来周知のものと同様のロータリ耕耘作業機であり、その前部に設けたロアーリンク連結部２及びトップリンク連結部３を介して、図示しないトラクタの後部に３点リンク連結機構により昇降可能に連結される。このロータリ耕耘作業機１は、トラクタに対してほぼ自動的に着脱され、トラクタのＰＴＯ軸から、ユニバーサルジョイント、伝動シャフト等を介して、伝動フレームを兼ねる本体フレーム４の前側中央部に設けられた変速ギヤボックスから前方に突出する入力軸５に動力が伝達される。
【００１２】
ギヤボックスから左右両側に上記本体フレーム４が延び、その一側端に伝動ケース６、他側端に支持フレーム（図示せず）のそれぞれ上端部が固設され、それぞれ垂下している。この伝動ケース６と支持フレームの下端部間に、耕耘機能を有する周知の作業ロ−タ７が軸架されている。作業ロ−タ７の上方は、本体フレーム４に支持されたシールドカバー８により覆われており、このシールドカバー８の後端部に、整地板９の先端部が上下回動自在に枢支されている。この整地板９の上側には、該整地板９の作業面への加圧力を調整するための、コンプレッションロッド１０、加圧バネ１１及びバネストッパー１２を有するコンプレッションロッド用加圧調整装置１３が設けられている。その詳細を図１及び図３ないし図６に示す。
【００１３】
上記コンプレッションロッド１０は、その先端部を本体フレーム４に対して枢支軸１４を介して上下回動自在に枢支し、後端部を整地板９に取付けられた摺動支持部材１５に対して前後摺動可能に支持している。そして、コンプレッションロッド１０には、その長さ方向対向面に、前記バネストッパー１２の係合部材１７に形成した嵌合突起１７ａと嵌合して係止し、または離間してバネストッパー１２がコンプレッションロッド１０の軸方向に摺動可能とする嵌合凹部１６を、所定間隔をおいて多数形成している。
【００１４】
上記バネストッパー１２は、コンプレッションロッド１０の周方向に２分割されたリング状の係合部材１７，１７を、バネ線材からなるバネ部材１８により周方向に弾性移動可能に連繋している。また、バネストッパー１２は、コンプレッションロッド１０に嵌挿して係合部材１７の嵌合突起１７ａを嵌合凹部１６に嵌合させた状態では加圧バネ１１の先端部を位置決めし、周方向に回動させて係合部材１７の嵌合突起１７ａの嵌合凹部１６への嵌合を解除すると、バネストッパー１２はコンプレッションロッド１０の長さ方向に沿って摺動自在となるのであり、バネストッパー１２を所望の位置まで移動させて周方向に回動することにより、係合部材１７の嵌合突起１７ａが嵌合凹部１６と嵌合してその位置に固定され、加圧バネ１１のバネ圧を所望圧に調整する。
【００１５】
また、コンプレッションロッド１０とバネストッパー１２は、同一軸線上にあるので、バネストッパー１２をコンプレッションロッド１０の長さ方向に沿って摺動させるとき、無理なく摺動させることができる。さらに、バネストッパー１２のコンプレッションロッド１０に対する移動をよりスムーズに行わせるために、係合部材１７の移動端部に位置してガイド鍔２０を設けている。また、バネストッパー１２には、２分割された係合部材１７をバネ線材１８により連繋するとき、バネ線材１８の先端部を嵌挿・係止する固定溝１９を係合部材１７に形成している。
【００１６】
ロータリ耕耘作業機１の前部左右両側には、対をなすゲージホイール２１が、上下調節保持機構２２に支持されて設けられている。なお、図示しないが、ロータリ耕耘作業機１を所定姿勢に保持するスタンドを、スタンドホルダーを介して着脱可能に設けてもよいものである。また、作業ロ−タ７は代掻ロータ、砕土ロータにしてもよいものである。
【００１７】
こような構成のロータリ耕耘作業機１においては、耕耘整地作業を行うときは、トラクタに３点リンク機構を介してロアーリンク連結部２及びトップリンク連結部３が装着され、圃場に導入されて耕耘整地作業を行う。ロータリ耕耘作業機１は、トラクタから入力軸５に動力を受け、ギヤボックスで変速されて本体フレーム４から伝動ケース６に伝達され、作業ロ−タ７を所定方向に回転駆動して耕耘・整地作業を行う。作業ロ−タ７により耕耘された土壌は、シールドカバー８から整地板９側に放てきされ、整地板９により整地均平される。
【００１８】
整地板９では、コンプレッションロッド用加圧調整装置１３が設けられているので、作業ロ−タ７により耕耘されて後方に放てきされた土壌を、土壌水分や土質によって加圧力を調整して最良の整地均平作業が行われるようにする。コンプレッションロッド用加圧調整装置１３の調整は、バネストッパー１２を持って周方向に回動させると、係合部材１７の嵌合突起１７ａの嵌合凹部１６への嵌合が解除され、バネストッパー１２はコンプレッションロッド１０の長さ方向に沿って摺動可能となる。そして、バネストッパー１２を加圧バネ１１の先端部と共にコンプレッションロッド１０に沿って移動させて所望位置で移動を停止し、バネストッパー１２を周方向に回動させると、係合部材１７の嵌合突起１７ａが嵌合凹部１６に嵌合し加圧バネ１１の先端部を位置決めして整地板９の加圧力が調整される。
【００１９】
【発明の効果】
以上説明したように、本発明のコンプレッションロッド用加圧調整装置によれば、以下の効果を奏することができる。
【００２０】
イ．バネストッパー１２は、コンプレッションロッド１０の周方向に２分割されたリング状の係合部材１７，１７の端部間を、バネ線材からなるバネ部材１８により他端側が周方向に弾性移動可能に弾持し、コンプレッションロッド１０の長さ方向側面に、前記係合部材１７，１７と嵌合する嵌合凹部１６を長さ方向に間隔をおいて多数形成したので、バネストッパーの係合部材をコンプレッションロッドの嵌合凹部に嵌合させると、バネストッパーは確実に位置決めされて加圧バネを所定位置に支持することができる。また、バネストッパーを周方向に回動して係合部材の嵌合凹部への嵌合を解除すると、バネストッパーはコンプレッションロッドの長さ方向に摺動自在となり、所望位置まで移動させて周方向に回動させて係合部材を嵌合凹部に嵌合させ、加圧バネのバネ圧を所望圧に調整することができる。
【００２１】
ロ．バネストッパー１２は、コンプレッションロッド１０に嵌挿して係合部材１７，１７を嵌合凹部１６に嵌合させた状態では加圧バネ１１を位置決めし、係合部材１７，１７をバネ部材１８の弾発力に抗して周方向に回動して係合部材１７，１７の嵌合凹部１６への嵌合を解除すると、コンプレッションロッド１０の長さ方向に沿って摺動自在となるので、バネストッパーの径を小さく構成でき、取付けスペースを小さくでき、操作性も良好である。
ハ．コンプレッションロッド１０とバネストッパー１２は、同一軸線上に配設されているので、バネストッパーをコンプレッションロッドの長さ方向に沿ってスムーズに摺動させることができる。
【００２２】
ニ．バネストッパー１２は、２分割された係合部材１７，１７の端部間をバネ線材１８により弾持し、係合部材１７，１７にバネ線材１８の先端部を嵌挿して係止する固定溝１９を設けたので、係合部材のバネ線材による弾持を容易に行うことができる。
ホ．バネストッパー１２の係合部材１７，１７に、コンプレッションロッド１０の長さ方向に沿って移動する前後両端部に位置してガイド鍔２０を設けたので、バネストッパーのコンプレッションロッドの長さ方向に沿った摺動をスムーズに行うことができる。
【図面の簡単な説明】
【図１】本発明によるコンプレッションロッド用加圧調整装置のバネストッパーを固定状態にした側面図（ａ）、バネストッパーを摺動可能状態にした側面図（ｂ）である。
【図２】本発明を適用したロータリ耕耘機の全体側面図である。
【図３】（ａ）はコンプレッションロッドの一部省略した平面図、（ｂ）はバネストッパーがコンプレッションロッドに沿って摺動可能状態の端面図である。
【図４】（ａ）はコンプレッションロッドの一部省略した側面図、（ｂ）はバネストッパーがコンプレッションロッドに固定している状態の端面図である。
【図５】バネストッパーの平面図（ａ）、正面図（ｂ）、底面図（ｃ）、断面図（ｄ）である。
【図６】コンプレッションロッドの部分斜視図である。
【符号の説明】
１    ロータリ耕耘作業機
２      ロアーリンク連結部
３    トップリンク連結部
４    本体フレーム
５    入力軸
６    伝動ケース
７    作業ロ−タ
８    シールドカバー
９    整地板
１０  コンプレッションロッド
１１  加圧バネ
１２  バネストッパー
１３  コンプレッションロッド用加圧調整装置
１４  枢支軸
１５  摺動支持部材
１６  嵌合凹部
１７  係合部材    １７ａ  嵌合突起
１８  バネ線材からなるバネ部材
１９  バネ固定溝
２０  ガイド鍔
２１  ゲージホイール
２２  上下調節保持機構
【図１】
0003607572.tif 000002
【図２】
0003607572.tif 000003
【図３】
0003607572.tif 000004
【図４】
0003607572.tif 000005
【図５】
0003607572.tif 000006
【図６】
0003607572.tif 000007